(57)【要約】【課題】表、裏の区別をなくし、作業者の取り扱い例えば折り畳む作業を簡単にかつ容易にした両面パイルタオル地及びその製造方法を提供することにある。【解決手段】地経糸９に地緯糸１３、１５、１７を織り込んでタオル地組織を織成し、このタオル地組織の表面５および裏面７に同一密度にほぼ等しい長さのパイル経糸１９、２１を織成してタオル地３を形成せしめる両面パイルタオル地１において、前記タオル地３の表面５又は裏面７の一部のパイル経糸１９、２１を裏面７側又は表面５側に寄せて、前記表面５又は裏面７に無パイル領域２３を形成し、この無パイル領域２３によって模様又は文字などの識別マークを表現したことを特徴とする。【選択図】      図１
2004183144.tif 000002
【特許請求の範囲】
【請求項１】
地経糸に地緯糸を織り込んでタオル地組織を織成し、このタオル地組織の表面および裏面に同一密度にほぼ等しい長さのパイル経糸を織成してタオル地を形成せしめる両面パイルタオル地において、前記タオル地の表面又は裏面の一部のパイル経糸を裏面側又は表面側に寄せて、前記表面又は裏面に無パイル領域を形成し、この無パイル領域によって模様又は文字などの識別マークを表現したことを特徴とする両面パイルタオル地。
【請求項２】
前記タオル地の幅方向の中心に対して表面側の左右にそれぞれ相対向した上下部に前記無パイル領域を形成せしめると共に裏面側の左右にそれぞれ相対向した上下部に前記無パイル領域を形成せしめることを特徴とする請求項１記載の両面パイルタオル地。
【請求項３】
地経糸に地緯糸を織り込んでタオル地組織を織成し、このタオル地組織の表面および裏面に同一密度にほぼ等しい長さのパイル経糸を織成したタオル地を形成せしめる両面パイルタオル地において、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成し、この両面パイル有り領域によって模様又は文字などの識別マークを表現したことを特徴とする両面パイルタオル地。
【請求項４】
前記タオル地の幅方向の中心に対して表面側の左右にそれぞれ相対向した上下部に前記枠領域を形成せしめると共に裏面側の左右にそれぞれ相対向した上下部に前記枠領域を形成せしめることを特徴とする請求項３記載の両面パイルタオル地。
【請求項５】
地経糸に地緯糸を織り込んでタオル地組織を織成し、このタオル地組織の表面および裏面に同一密度にほぼ等しい長さのパイル経糸を織成してタオル地を製造する両面パイルタオル地の製造方法において、前記タオル地の表面又は裏面の一部のパイル経糸を裏面側又は表面側に寄せて、前記表面又は裏面に無パイル領域を形成せしめると共に、この無パイル領域によって模様又は文字などの識別マークを表現せしめることを特徴とする両面パイルタオル地の製造方法。
【請求項６】
地経糸に地緯糸を織り込んでタオル地組織を織成し、このタオル地組織の表面および裏面に同一密度にほぼ等しい長さのパイル経糸を織成したタオル地を製造する両面パイルタオル地の製造方法において、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成せしめ、この両面パイル有り領域によって模様又は文字などの識別マークを表現せしめることを特徴とする両面パイルタオル地の製造方法。
【発明の詳細な説明】
【０００１】
【発明の属する技術分野】
この発明は、両面パイルタオル地及びその製造方法に関する。
【０００２】
【従来の技術】
従来から両面パイルタオル地は良く知られている。例えば従来の両面パイルタオル地１０１における経方向の上下端において、図１０（Ａ）、（Ｂ）に示されているように、表面１０３における枠領域１０３Ａ中に例えば「ＨＯＴＥＬ」がパイル縦糸で表示され、裏面１０５に例えば「ＨＯＴＥＬ」の逆文字が表示されている。この「ＨＯＴＥＬ」が表示されていない表面１０３および裏面１０５には、図１１及び図１２に示されているように地経糸１０７、１０９に地緯糸１１１、１１３、１１５を織り込んでタオル地組織にパイル表糸１１７、パイル裏糸１１９によりパイルが顕出されている。
【０００３】
また、両面パイルタオル地１０１における経方向の上下端部のヘム部分１２１は、図１３に示されているように、裏側に折り畳まれていて、別の例えば平織り地１２３が縫製されている。さらに、枠領域１０３Ａ中の無パイル領域１２５は図１４及び図１５に示されているように表面１０３側にパイル表糸１１７、パイル裏糸１１９が顕出せず、裏面１０５側に顕出している。この無パイル領域１２５中の例えば「ＨＯＴＥＬ」は、図１６及び図１７に示されているように、パイル表糸１１７、パイル裏糸１１９でもって表面１０３に顕出され、裏面１０５には顕出させていない。
【０００４】
【特許文献１】
特開平３−１４６７６１号公報
【０００５】
【発明が解決しようとする課題】
ところで、上述した従来の両面パイルタオル地１０１は、例えば「ＨＯＴＥＬ」の文字が表面１０３に顕出され、裏面１０５には顕出させていないから、両面パイルタオル地１０１の表面１０３と裏面１０５とがはっきりと区別される。また、ヘム部分１１７は裏側に折り畳まれているから、この点からも両面パイルタオル地１０１の表面１０３と裏面１０５とがはっきりと区別される。
【０００６】
その結果、両面パイルタオル地１０１を折り畳んで表面１０３を外に出すように作業者が注意をしなければならず、取り扱いが簡単に行かず大変であった。
【０００７】
この発明は上述の課題を解決するためになされたもので、その目的は、表、裏の区別をなくし、作業者の取り扱い例えば折り畳む作業を簡単にかつ容易にした両面パイルタオル地及びその製造方法を提供することにある。
【０００８】
【課題を解決するための手段】
上記目的を達成するために請求項１によるこの発明の両面パイルタオル地は、地経糸に地緯糸を織り込んでタオル地組織を織成し、このタオル地組織の表面および裏面に同一密度にほぼ等しい長さのパイル経糸を織成してタオル地を形成せしめる両面パイルタオル地において、前記タオル地の表面又は裏面の一部のパイル経糸を裏面側又は表面側に寄せて、前記表面又は裏面に無パイル領域を形成し、この無パイル領域によって模様又は文字などの識別マークを表現したことを特徴とするものである。
【０００９】
したがって、前記表面又は裏面の一部のパイル経糸を裏面又は表面側に寄せて、前記表面又は裏面に無パイル領域を形成し、この無パイル領域によって模様又は文字などの識別マークを表現したから、タオル地の表、裏がなくなり、どちらの面も表となり、使い易さが従来よりも非常に楽になると共に表、裏の確認なしで使える。
【００１０】
請求項２によるこの発明の両面パイルタオル地は、請求項１記載の両面パイルタオル地において、前記タオル地の幅方向の中心に対して表面側の左右にそれぞれ相対向した上下部に前記無パイル領域を形成せしめると共に裏面側の左右にそれぞれ相対向した上下部に前記無パイル領域を形成せしめることを特徴とするものである。
【００１１】
したがって、前記タオル地の幅方向の中心に対して表面側の左右にそれぞれ相対向した上下部に前記無パイル領域を形成せしめると共に裏面側の左右にそれぞれ相対向した上下部に前記無パイル領域を形成せしめているから、請求項１と同様の効果を有していると共に自動的に折り畳むことが可能になる。
【００１２】
請求項３によるこの発明の両面パイルタオル地は、地経糸に地緯糸を織り込んでタオル地組織を織成し、このタオル地組織の表面および裏面に同一密度にほぼ等しい長さのパイル経糸を織成したタオル地を形成せしめる両面パイルタオル地において、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成し、この両面パイル有り領域によって模様又は文字などの識別マークを表現したことを特徴とするものである。
【００１３】
したがって、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成し、この両面パイル有り領域によって模様又は文字などの識別マークを表現したから、タオル地の表、裏がなくなり、どちらの面も表となり、使い易さが従来よりも非常に楽になると共に表、裏の確認なしで使える。
【００１４】
請求項４によるこの発明の両面パイルタオル地は、請求項３記載の両面パイルタオル地において、前記タオル地の幅方向の中心に対して表面側の左右にそれぞれ相対向した上下部に前記枠領域を形成せしめると共に裏面側の左右にそれぞれ相対向した上下部に前記枠領域を形成せしめることを特徴とするものである。
【００１５】
したがって、前記タオル地の幅方向の中心に対して表面側の左右にそれぞれ相対向した上下部に前記枠領域を形成せしめると共に裏面側の左右にそれぞれ相対向した上下部に前記枠領域を形成せしめているから、請求項３と同様の効果を有していると共に自動的に折り畳むことが可能になる。
【００１６】
請求項５によるこの発明の両面パイルタオル地の製造方法は、地経糸に地緯糸を織り込んでタオル地組織を織成し、このタオル地組織の表面および裏面に同一密度にほぼ等しい長さのパイル経糸を織成してタオル地を製造する両面パイルタオル地の製造方法において、前記タオル地の表面又は裏面の一部のパイル経糸を裏面側又は表面側に寄せて、前記表面又は裏面に無パイル領域を形成せしめると共に、この無パイル領域によって模様又は文字などの識別マークを表現せしめることを特徴とするものである。
【００１７】
したがって、前記タオル地の表面又は裏面の一部のパイル経糸を裏面側又は表面側に寄せて、前記表面又は裏面に無パイル領域を形成せしめ前記表面又は裏面の一部のパイル経糸を裏面又は表面側に寄せて、前記表面又は裏面に無パイル領域を形成せしめると共に、この無パイル領域によって模様又は文字などの識別マークを表現せしめているから、請求項１と同様に、タオル地の表、裏がなくなり、どちらの面も表となり、使い易さが従来よりも非常に楽になると共に表、裏の確認なしで使える。
【００１８】
請求項６によるこの発明の両面パイルタオル地の製造方法は、地経糸に地緯糸を織り込んでタオル地組織を織成し、このタオル地組織の表面および裏面に同一密度にほぼ等しい長さのパイル経糸を織成したタオル地を製造する両面パイルタオル地の製造方法において、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成せしめ、この両面パイル有り領域によって模様又は文字などの識別マークを表現せしめることを特徴とするものである。
【００１９】
したがって、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成せしめ、この両面パイル有り領域によって模様又は文字などの識別マークを表現せしめているから、請求項２と同様に、タオル地の表、裏がなくなり、どちらの面も表となり、使い易さが従来よりも非常に楽になると共に表、裏の確認なしで使える。
【００２０】
【発明の実施の形態】
以下、この発明の実施の形態について図面を参照して詳細に説明する。
【００２１】
図１（Ａ）、（Ｂ）を参照するに、両面パイルタオル地１は例えば矩形形状のタオル地３からなると共に、このタオル地３は表面５と裏面７からなっている。しかも、図２及び図３に示されているように、例えば綿１００％、或いはポリエステルと綿の混紡糸からなる地経糸９、１１に地緯糸１３、１５、１７、を織り込んでタオル地組織を織成している。そして、表パイル経糸１９、裏パイル経糸２１により表面３と裏面５の両面にパイルが顕出されている。
【００２２】
前記タオル地３の幅方向、図１（Ａ）において左右方向の中心Ｃに対して表面５側図１（Ａ）において左右にそれぞれ相対向した上下部の表面部５Ａ、５Ｂには無パイル領域２３が形成され、この無パイル領域２３に識別マークとしての例えば英字である「ＨＯＴＥＬ」が表現される。すなわち、表面部５Ａ、５Ｂの表面は、図４及び図５に示されているように、地経糸９、１１に地緯糸１３、１５、１７を織り込んだ地組織で構成されると共に裏面には表パイル経糸１９、裏パイル経糸２１が顕出されている。
【００２３】
また、前記タオル地３の幅方向、図１（Ｂ）において左右方向の中心Ｃに対して裏面７側図１（Ｂ）において左右にそれぞれ相対向した上下部の表面部５Ｃ、５Ｄに無パイル領域２３が形成され、この無パイル領域２３に識別マークとしての例えば英字である「ＨＯＴＥＬ」が表現される。すなわち、裏面部５Ｃ、５Ｄの裏面は、図６及び図７に示されているように、地経糸９、１１に地緯糸１３、１５、１７、を織り込んだ地組織すなわち、無パイル領域２３で構成されると共に表面には表パイル経糸１９、裏パイル経糸２１が顕出されている。
【００２４】
このように表面部５Ａ、５Ｂ、裏面部５Ｃ、５Ｄに地経糸９、１１に地緯糸１３、１５、１７、を織り込んだ地組織で構成される無パイル領域２３が形成されると共にこの無パイル領域２３の裏面、表面には表パイル経糸１９、裏パイル経糸２１が顕出されて「ＨＯＴＥＬ」の文字が表現される。
【００２５】
また、図８も併せて参照するに、前記タオル地３の上下端部にはヘム部分２５が裏面へ折り畳まれている。
【００２６】
この「ＨＯＴＥＬ」の製織方法は、図２、図３；図４、図５および図６、図７に示されているように、地経糸９、１１に地緯糸１３、１５、１７を織り込んでタオル地組織を織成し、このタオル地組織の表面および裏面にほぼ等しい長さの表パイル経糸１９、裏パイル経糸２１を織成して両面パイルタオル地１を製造するとき、前記タオル地３の幅方向の中心Ｃに対して表面５側の左右にそれぞれ相対向した上下部に前記無パイル領域２３を形成せしめると共に裏面７側の左右にそれぞれ上下部に前記無パイル領域２３を形成せしめているから、タオル地３の表、裏がなくなり、どちらの面も表となり、使い易さが従来よりも非常に楽になると共に表、裏の確認なしで使うことができる。さらに、自動的に折り畳むことを可能にすることができる。
【００２７】
図９（Ａ）、（Ｂ）には図１（Ａ）、（Ｂ）に代わる他の実施の形態が示されている。図６において、図１における部品と同じ部品には同一の符号を付して重複する説明を省略する。
【００２８】
図９（Ａ）、（Ｂ）において、Ａ矢視部はすでに図２及び図３で説明した地経糸９、１１に地緯糸１３、１５、１７、を織り込んでタオル地組織を織成している。そして、表パイル経糸１９、裏パイル経糸２１により表面３と裏面５の両面にパイルが顕出されている。
【００２９】
前記タオル地３の幅方向、図９（Ａ）において左右方向の中心Ｃに対して表面５側図９（Ａ）において左右にそれぞれ相対向した上下部の表面部５Ｅ、５Ｆには枠領域２７が形成されていると共に前記タオル地３の幅方向、図９（Ｂ）において左右方向の中心Ｃに対して裏面７側図９（Ｂ）において左右にそれぞれ上下部の裏面部５Ｇ、５Ｈにはそれぞれ所定の枠領域２７が形成されている。そして、この所定の枠領域２７内に、表パイル経糸１９、裏パイル経糸２１により裏面７側又は表面５側に無パイル領域２９が形成される。この無パイル領域２９は図４、図５及び図６、図７により織成される。前記枠領域２７内に表面５及び裏面７に表パイル経糸１９、裏パイル経糸２１を有する両面パイル有り領域３１が形成されている。この両面パイル有り領域３１によって模様又は文字などの識別マークとしての例えば英字である「ＨＯＴＥＬ」が表現される。この両面パイル有り領域３１の英字である「ＨＯＴＥＬ」は上述した図２および図３により織成される。
【００３０】
このように表面部５Ｅ、５Ｆ、裏面部５Ｇ、５Ｈにおける無パイル領域２９は図４、図５で織成されると共に両面パイル有り領域３１の英字である「ＨＯＴＥＬ」は図２，図３で織成され、英字である「ＨＯＴＥＬ」が無パイル領域２９内で表パイル経糸１９、裏パイル経糸２１により顕出される。
【００３１】
この「ＨＯＴＥＬ」の製織方法は、図２、図３および図４、図５に示されているように、地経糸９、１１に地緯糸１３、１５、１７を織り込んでタオル地組織を織成し、このタオル地組織の表面および裏面にほぼ等しい長さの表パイル経糸１９、裏パイル経糸２１を織成して両面パイルタオル地１を製造するとき、前記タオル地３の幅方向の中心Ｃに対して表面５側の左右にそれぞれ相対向した上下部に前記無パイル領域２３を形成せしめると共に裏面７側の左右にそれぞれ上下部に前記無パイル領域２３を形成せしめ、さらに、無パイル領域２９内に両面パイル有り領域３１を形成せしめ、この両面パイル有り領域３１に英字である「ＨＯＴＥＬ」を顕出してから、タオル地３の表、裏がなくなり、どちらの面も表となり、使い易さを従来よりも非常に楽にすることができると共に表、裏の確認なしで使うことができる。さらに、自動的に折り畳むことを可能にすることができる。
【００３２】
なお、この発明は前述した実施の形態に限定されることなく、適宜な変更を行うことによりその他の態様で実施し得るものである。識別マークとして例えば「ＨＯＴＥＬ」を例にとって説明したが、絵模様、数字、文字などその他の識別マークであっても構わない。
【００３３】
【発明の効果】
以上のごとき発明の実施の形態の説明から理解されるように、請求項１の発明によれば、前記表面又は裏面の一部のパイル経糸を裏面又は表面側に寄せて、前記表面又は裏面に無パイル領域を形成し、この無パイル領域によって模様又は文字などの識別マークを表現したから、タオル地の表、裏をなくすることができ、どちらの面も表となり、使い易さを従来よりも非常に楽にすることができると共に表、裏の確認なしで使うことができる。
【００３４】
請求項２の発明によれば、前記タオル地の幅方向の中心に対して表面側の左右にそれぞれ相対向した上下部に前記無パイル領域を形成せしめると共に裏面側の左右にそれぞれ相対向した上下部に前記無パイル領域を形成せしめているから、請求項１と同様の効果を有していると共に自動的に折り畳むことを可能にすることができる。
【００３５】
請求項３の発明によれば、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成し、この両面パイル有り領域によって模様又は文字などの識別マークを表現したから、タオル地の表、裏をなくすることができ、どちらの面も表となり、使い易さを従来よりも非常に楽にすることができと共に表、裏の確認なしで使うことができる。
【００３６】
請求項４の発明によれば、前記タオル地の幅方向の中心に対して表面側の左右にそれぞれ相対向した上下部に前記枠領域を形成せしめると共に裏面側の左右にそれぞれ相対向した上下部に前記枠領域を形成せしめているから、請求項３と同様の効果を有していると共に自動的に折り畳むことを可能にすることができる。
【００３７】
請求項５の発明によれば、前記タオル地の表面又は裏面の一部のパイル経糸を裏面側又は表面側に寄せて、前記表面又は裏面に無パイル領域を形成せしめ前記表面又は裏面の一部のパイル経糸を裏面又は表面側に寄せて、前記表面又は裏面に無パイル領域を形成せしめると共に、この無パイル領域によって模様又は文字などの識別マークを表現せしめているから、請求項１と同様に、タオル地の表、裏をなくすることができ、どちらの面も表となり、使い易さを従来よりも非常に楽にすることができると共に表、裏の確認なしで使うことができる。
【００３８】
請求項６の発明によれば、前記タオル地の所定の枠領域内に、パイル経糸を裏面側又は表面側へ寄せて、前記裏面側又は表面側に無パイル領域を形成すると共に、前記枠領域内に表面及び裏面にパイル経糸を有する両面パイル有り領域を形成せしめ、この両面パイル有り領域によって模様又は文字などの識別マークを表現せしめているから、請求項２と同様に、タオル地の表、裏をなくすることができ、どちらの面も表となり、使い易さを従来よりも非常に楽にすることができると共に表、裏の確認なしで使うことができる。
【図面の簡単な説明】
【図１】（Ａ）、（Ｂ）はこの発明の両面パイルタオル地の表面、裏面を示した平面図である。
【図２】図１におけるＩＩ−ＩＩ線に沿った断面図である。
【図３】図２における組織図である。
【図４】表面の無パイル領域の断面図である。
【図５】図４における組織図である。
【図６】裏面の無パイル領域の断面図である。
【図７】図６における組織図である。
【図８】図１の両面パイルタオル地の側面図である。
【図９】（Ａ）、（Ｂ）は図１に代わる他の両面パイルタオル地の表面、裏面を示した平面図である。
【図１０】（Ａ）、（Ｂ）は従来の両面パイルタオル地の表面、裏面を示した平面図である。
【図１１】図１０におけるＸＩ−ＸＩ線に沿った断面図である。
【図１２】図１１における組織図である。
【図１３】図１０の両面パイルタオル地の側面図である。
【図１４】図１０における無パイル領域の断面図である。
【図１５】図１４における組織図である。
【図１６】図１０における無パイル領域中の文字部の断面図である。
【図１７】図１６における組織図である。
【符号の説明】
１  両面パイルタオル地
３  タオル地
５  表面
７  裏面
９、１１  地経糸
１３、１５、１７  地緯糸
１９  表パイル糸
２１  裏パイル糸
２３  無パイル領域
２５  ヘム部分
２７  枠領域
２９  無パイル領域
３１  両面パイル有り領域
【図１】
2004183144.tif 000003
【図２】
2004183144.tif 000004
【図３】
2004183144.tif 000005
【図４】
2004183144.tif 000006
【図５】
2004183144.tif 000007
【図６】
2004183144.tif 000008
【図７】
2004183144.tif 000009
【図８】
2004183144.tif 000010
【図９】
2004183144.tif 000011
【図１０】
2004183144.tif 000012
【図１１】
2004183144.tif 000013
【図１２】
2004183144.tif 000014
【図１３】
2004183144.tif 000015
【図１４】
2004183144.tif 000016
【図１５】
2004183144.tif 000017
【図１６】
2004183144.tif 000018
【図１７】
2004183144.tif 000019